(57)【要約】【課題】規格が異なる記録層を有するハイブリッド型光ディスクの記録または再生に要する時間を短縮化する。【解決手段】ハイブリッド型光ディスクの記録層が切替えられる前の記録層でのセットアップ時におけるエラー情報の学習や記録または再生時におけるエラー情報の学習を行い、該学習の結果を保存しておき、記録層の切替えが行われたとき、切替え前の記録層における学習結果を切替え後の記録層にも共用し、基準レベル以上の傷や汚れ等がある場合には、該学習結果情報に基づいて、セットアップ時や記録または再生時に該ハイブリッド型光ディスクの回転倍速値を低下させる構成とする。【選択図】図２
2007149290.tif 000002
【特許請求の範囲】
【請求項１】
異なる規格の複数の記録層を同一記録面側に有するハイブリッド型光ディスクに対し情報の記録または再生が可能な光ディスク装置であって、
上記ハイブリッド型光ディスクを回転駆動するスピンドルモータと、
上記スピンドルモータを駆動するモータ駆動回路と、
上記異なる規格の複数の記録層に対応したレーザ光を生成し出射する複数のレーザダイオードと、
上記レーザダイオードを駆動するレーザ駆動回路と、
上記モータ駆動回路の制御、上記レーザ駆動回路の制御、上記ハイブリッド型光ディスクの記録層が切替えられる前の記録層でのエラー情報の学習を行う制御手段と、
上記学習の結果を保存する記憶手段と、
を備え、上記ハイブリッド型光ディスクの記録層の切替えが行われたとき、上記制御手段は、上記切替え前の記録層における学習結果を切替え後の記録層にも共用し、該学習結果情報に基づき、上記モータ駆動回路を制御して上記スピンドルモータの回転速度を低下させ上記光ディスクの回転倍速を低下させる構成としたことを特徴とする光ディスク装置。
【請求項２】
上記制御手段は、切替え前の記録層でのセットアップ時のエラー情報として、少なくとも、ハイブリッド型光ディスクの種別判別結果情報、同光ディスクの偏心の計測結果情報、同偏重心の計測結果情報、同面振れの補正結果情報、該ハイブリッド型光ディスク以外の部分の調整結果情報のいずれかを学習し、切替え前の記録層での記録または再生時のエラー情報として、少なくとも、記録または再生時の倍速値ダウンの有無、記録または再生時の倍速値ダウンの要因、記録または再生時に倍速値ダウンしたアドレスのいずれかを学習する構成である請求項１に記載の光ディスク装置。
【請求項３】
上記ハイブリッド型光ディスクは、赤系レーザ用記録層と青系レーザ用記録層を備え、該両記録層間で切替えを行う構成である請求項１に記載の光ディスク装置。
【請求項４】
異なる規格の複数の記録層を同一記録面側に有するハイブリッド型光ディスクに対する情報の記録または再生方法であって、
既に第１の記録層でのセットアップ、記録または再生の前歴があるハイブリッド型光ディスクの第２の記録層に対し情報の記録または再生を行うとき、
上記第１の記録層でのセットアップ時に学習したエラー情報を用いて上記第２の記録層でのセットアップを行う第１のステップと、
上記第１の記録層での記録または再生時に学習したエラー情報を用いて上記第２の記録層での情報の記録または再生を行う第２のステップと、
を備えたことを特徴とする情報の記録または再生方法。
【請求項５】
異なる規格の複数の記録層を同一記録面側に有するハイブリッド型光ディスクに対する情報の記録または再生方法であって、
上記ハイブリッド型光ディスクの第１の記録層でのセットアップを行い該ハイブリッド型光ディスクのエラー情報を学習するとともに、該ハイブリッド型光ディスク以外の部分のエラー情報を学習し、該学習結果を記憶する第１のステップと、
上記ハイブリッド型光ディスクの第１の記録層に対し情報の記録または再生を行い、該ハイブリッド型光ディスクのエラー情報を学習し、該学習結果を記憶する第２のステップと、
上記ハイブリッド型光ディスクの第１の記録層を第２の記録層に切替える第３のステップと、
上記第１のステップで記憶したエラー情報を用い上記第２の記録層でのセットアップを行う第４のステップと、
上記第２のステップで記憶したエラー情報を用い上記第２の記録層に対し情報の記録または再生を行う第５のステップと、
を備えたことを特徴とする情報の記録または再生方法。
【請求項６】
上記第１のステップでは、上記エラー情報として、少なくとも、ハイブリッド型光ディスクの種別判別結果情報、同光ディスクの偏心の計測結果情報、同偏重心の計測結果情報、同面振れの補正結果情報、該ハイブリッド型光ディスク以外の部分の調整結果情報のいずれかを学習し、上記第２のステップでは、上記エラー情報として、少なくとも、記録または再生時の倍速値ダウンの有無、記録または再生時の倍速値ダウンの要因、記録または再生時に倍速値ダウンしたアドレスのいずれかを学習する請求項５に記載の情報の記録または再生方法。
【発明の詳細な説明】
【技術分野】
【０００１】
本発明は、異なる規格の複数の記録層を同一記録面側に有するハイブリッド型光ディスクに対して情報を記録または再生する技術に関する。
【背景技術】
【０００２】
本発明に関連し、ディスク面の傷や汚れなどに対処するための従来技術であって特許文献に記載されたものとしては、例えば、特開２００４−１５２３７９号公報（特許文献１）及び特開２００１−６７７８３号公報（特許文献２）に記載されたものがある。特開２００４−１５２３７９号公報には、情報記録ディスク再生装置において、ディスクの傷や汚れ等によって減速しなければ読み出せない領域を有するディスクの場合、再生エラーが起きたアドレスを減速対象とし、当該ディスクの同じ層を再生する時に減速して再生するとした技術が記載されている。また、特開２００１−６７７８３号公報には、光ディスク装置において、光ディスクの傷や付着物により読み出しデータにエラーがあった場合、リトライ等で訂正するための必要時間を短縮するために、再生エラー位置などから、次の再生時に同じ層内の領域の減速位置を予測するとした技術が記載されている。
【０００３】
【特許文献１】特開２００４−１５２３７９号公報
【特許文献２】特開２００１−６７７８３号公報
【発明の開示】
【発明が解決しようとする課題】
【０００４】
近年、青色レーザ用光ディスクが既に実用化され、さらに、規格が異なるＢＤ（Ｂｌｕ−ｒａｙ  Ｄｉｓｃ）やＨＤ−ＤＶＤなどの青系レーザ用光ディスクと、ＤＶＤ、ＣＤなどの赤系レーザ用光ディスクとを一体化するハイブリッドディスクの開発も進められている。該ハイブリッドディスクでは、光ディスク装置は記録または再生を行うに当たり、青系レーザ用記録層と赤系レーザ用記録層とのそれぞれに対し、セットアップ段階で、ディスク種別の判別、偏心の計測、偏重心の計測、面振れの補正などを行い、記録または再生の段階で、ディスク回転の倍速値ダウンの有無、倍速値ダウンの要因、倍速値ダウンしたアドレスなどの判別または検出を実施することが考えられるが、該方法によっては、記録または再生のために、セットアップも含め、時間が長くかかる。
上記特開２００４−１５２３７９号公報記載の技術も、特開２００１−６７７８３号公報記載の技術も、単に、ディスクに傷や汚れ等があった場合に１つの同じ記録層内で再生速度を減速状態にして情報を再生可能にする技術であり、互いに規格が異なる記録層間で記録層を切替えて記録または再生を行うための技術ではない。
【０００５】
本発明の課題点は、上記従来技術の状況に鑑み、光ディスク装置において、互いに規格が異なる記録層を有するハイブリッド型光ディスクに傷等がある場合も、記録層切替え後、短時間のうちに減速状態として記録または再生のための必要時間を短縮化できるようにすることである。
本発明の目的は、かかる課題点を解決し、使い勝手が良く、信頼性の高いハイブリッド型光ディスク対応式の光ディスク装置を提供することにある。
【課題を解決するための手段】
【０００６】
上記課題点を解決するために、本発明では、光ディスク装置において、ハイブリッド型光ディスクの記録層が切替えられる前の記録層でのセットアップ時におけるエラー情報の学習や記録または再生時におけるエラー情報の学習を行い、該学習の結果を保存しておき、記録層の切替えが行われたとき、切替え前の記録層における学習結果を切替え後の記録層にも共用し、基準レベル以上の傷や汚れ等がある場合には、該学習結果情報に基づいて、セットアップ時や記録または再生時に該ハイブリッド型光ディスクの回転倍速値を低下させる構成とする。
【発明の効果】
【０００７】
本発明によれば、使い勝手が良く、信頼性が高い記録または再生が可能な光ディスク装置を提供することができる。
【発明を実施するための最良の形態】
【０００８】
以下、本発明の実施形態につき、図面を用いて説明する。
図１〜図５は、本発明の実施形態の説明図である。図１は、本発明の一実施形態としての光ディスク装置の構成例図、図２は、図１の光ディスク装置の動作説明図、図３は、図１の光ディスク装置におけるエラー情報使用時の効果の説明図、図４は、図１の光ディスク装置における再生時のエラー情報と記録層切替えとの関係の説明図、図５は、図１の光ディスク装置における記録時のエラー情報と記録層切替えとの関係の説明図である。
【０００９】
図１において、１は、本発明の実施形態としての光ディスク装置、２は、異なる規格の複数の記録層としての青系レーザ用記録層と赤系レーザ用記録層を同一記録面側に有するハイブリッド型光ディスク、３は、ハイブリッド型光ディスク２を回転駆動するスピンドルモータ、４は光ピックアップ、５は対物レンズ、６は、記録または再生のために所定の強さのレーザ光を発生するレーザダイオード、７は、レーザダイオード６を駆動するレーザ駆動回路、８は、対物レンズ５を介しハイブリッド型光ディスク２の記録面（以下、これも光ディスク面という）からの反射レーザ光を受光して電気信号に変換し出力する受光部、９は、対物レンズ５を光ディスク面に対し移動変位させたり該対物レンズ５の姿勢を変えたりするアクチュエータ、１０は、アクチュエータ９を駆動するアクチュエータ駆動回路、１１は、直線状のガイド部材（図示なし）やリードスクリュー部材（図示なし）などを備えて構成され、光ピックアップ４をハイブリッド型光ディスク２の略半径方向に移動させる移動・案内機構部、１２は、移動・案内機構部１１内にあってリードスクリュー部材（図示なし）を回転駆動するスライドモータ、１３は、ハイブリッド型光ディスク２を装置本体に対しローディングまたはアンローディングするローディング機構部、１４は、ローディング機構部１３内にあってハイブリッド型光ディスク２が載置されるトレイ（図示なし）を移動駆動するローディングモータ、１５は、スピンドルモータ３やスライドモータ１２やローディングモータ１４を駆動するモータ駆動回路、１６は、ハイブリッド型光ディスク２の記録層に記録される記録信号を生成する記録信号生成部、１７は、受光部８からの再生信号を、ＲＦ信号や、トラッキング誤差信号や、フォーカス誤差信号として処理する再生・誤差信号処理部、１８は、フォーカス制御用信号やトラッキング制御用信号を生成し出力するフォーカス・トラッキング制御部、２０は、モータ駆動回路６に供給するサーボ信号を生成したり、記録信号生成部１６を制御する信号を生成したり、再生・誤差信号処理部１７からの信号に基づき、再生信号（ＲＦ信号）を復調したり、トラッキング誤差信号やフォーカス誤差信号に基づき、フォーカス・トラッキング制御部１８に供給する制御信号を生成したり、上記サーボ信号のレベルを制御したりする制御手段としてのＤＳＰ（Ｄｉｇｉｔａｌ  Ｓｉｇｎａｌ  Ｐｒｏｃｅｓｓｏｒ）、３０は、ＤＳＰ２０を制御する制御手段としてのマイコン、３１は、マイコン３０が処理する情報を記憶する記憶手段としてのメモリ、４０は、書き込みの要求信号を取入れるインターフェース、５０は、光ディスク装置に対し書き込み要求信号を出力して書き込み要求を行うホストコンピュータである。
【００１０】
上記構成において、レーザダイオード６は、ハイブリッド型光ディスク２の記録面を構成している青系レーザ用記録層と赤系レーザ用記録層に対応して、青系レーザ光を生成し出射する青系レーザダイオードと赤系レーザ光を生成し出射する赤系レーザダイオードとから成る。ハイブリッド型光ディスク２の青系レーザ用記録層に対し情報の記録または再生を行うときは、レーザダイオード６内の青系レーザダイオードから青系レーザ光を出射し、対物レンズ５を通して青系レーザ用記録層に照射し、赤系レーザ用記録層に対し情報の記録または再生を行うときは、レーザダイオード６内の赤系レーザダイオードから赤系レーザ光を出射し、対物レンズ５を通して該赤系レーザ用記録層に照射する。青系レーザダイオードと赤系レーザダイオードの切替えは、レーザ駆動回路７が、青系レーザ用記録層と赤系レーザ用記録層の切替えられることに対応して行う。青系レーザ用記録層と赤系レーザ用記録層の切替えすなわち、青系レーザ用記録層に対し記録または再生動作を行っていた状態から転じて赤系レーザ用記録層に対し記録または再生動作を行う状態にする、または、赤系レーザ用記録層に対し記録または再生動作を行っていた状態から転じて青系レーザ用記録層に対し記録または再生動作を行う状態にする切替えは、制御手段としてのマイコン３０が、制御手段としてのＤＳＰ２０を制御することによって行う。ＤＳＰ２０は、マイコン３０からの指令を受けてモータ駆動回路１５や記録信号生成部１６やレーザ駆動回路７やフォーカス・トラッキング制御部１８などを制御し、ハイブリッド型光ディスク２の回転速度や、レーザダイオード６や、レーザ光の強度や、対物レンズ５の位置などを青系レーザ用記録層または赤系レーザ用記録層に対応した状態にする。また、制御手段としてのマイコン３０及びＤＳＰ２０は、ハイブリッド型光ディスク２の記録面（青系レーザ用記録層、赤系レーザ用記録層のいずれか一方または両方）に傷や汚れなど記録または状態を悪化させる要因であって基準値以上のものがあるときは、記録または再生性能を確保するために、モータ駆動回路１５を制御して、該ハイブリッド型光ディスク２の回転速度（倍速）を低減（ダウン）させる（＝倍速値ダウンを行う）ようにスピンドルモータ３の回転速度を低下させる。
【００１１】
マイコン３０は、上記制御の他、ハイブリッド型光ディスク２の記録層が切替えられる前の記録層でのセットアップ時におけるセットアップ情報の学習すなわち、ハイブリッド型光ディスク２の種別判別結果、偏心の計測結果、偏重心の計測結果、同面振れの補正結果、該ハイブリッド型光ディスク２以外の装置部分の調整結果例えば記録信号生成部１６から出力される記録信号のレベル調整結果や再生・誤差信号処理部１７から出力される出力信号のレベル調整結果などのうちの一部または全部を学習する。また、マイコン３０は、切替え前の記録層での記録または再生時におけるエラー情報の学習すなわち、記録または再生時の倍速値ダウンの有無、記録または再生時の倍速値ダウンの要因、記録または再生時に倍速値ダウンしたアドレスなどのうちの一部または全部を学習する。マイコン３０は、これら学習の結果を記憶手段としてのメモリ３１に保存させる。その後、ハイブリッド型光ディスク２の記録層の切替えが行われたとき、マイコン３０は、上記切替え前の記録層での学習結果の情報を切替え後の記録層でも用いてセットアップ動作と記録または再生動作を行わせる。該学習結果情報としてハイブリッド型光ディスク２の回転の倍速値をダウンさせた情報がメモリ３１に記憶されている場合は、マイコン３０は、上記モータ駆動回路１５を制御してスピンドルモータ３の回転速度を低下させることで上記ハイブリッド型光ディスク２の回転速度を低下させる。
【００１２】
図２は、図１の光ディスク装置１の動作説明図である。
図２において、
（１）ハイブリッド型光ディスク２が光ディスク装置１に装着された状態で記録または再生の指示が出されたとき、マイコン３０は、光ディスク装置１の動作をスタートさせる（ステップＳ２０１）。
（２）マイコン３０は、ハイブリッド型光ディスク２の記録層が切替えられる前の記録層でのセットアップ時におけるエラー情報の学習を行う（ステップＳ２０２）。エラー情報としては、該ハイブリッド型光ディスク２の種別判別結果の情報、偏心の計測結果の情報、偏重心の計測結果の情報、面振れの補正結果の情報のうちの一部または全部である。
（３）さらに、マイコン３０は、ハイブリッド型光ディスク２の記録層が切替えられる前の記録層でのセットアップ時におけるエラー情報として、該ハイブリッド型光ディスク２以外の装置部分の調整結果の情報の学習を行う（ステップＳ２０３）。
（４）マイコン３０は、セットアップ時において、ハイブリッド型光ディスク２の倍速値ダウンが行われたか否かを判別する（ステップＳ２０４）。
（５）ステップＳ２０４における判別の結果、倍速値ダウンが行われた場合は、マイコン３０は、上記ステップＳ２０２及びステップＳ２０３において学習したエラー情報をメモリ３１に保存させる（ステップＳ２０５）。これでセットアップ動作が終了する。
【００１３】
（６）次に、マイコン３０は、光ディスク装置１に対し切替え前の記録層での再生または記録動作を開始させる（ステップＳ２０６）。上記ステップＳ２０４における判別の結果、ハイブリッド型光ディスク２の倍速値ダウンが行われていない場合も、マイコン３０は、光ディスク装置１にこの再生または記録動作を開始させる。
（７）マイコン３０は、再生または記録動作時において、ハイブリッド型光ディスク２の倍速値ダウンがされているか否かを判別する（ステップＳ２０７）。
（８）ステップＳ２０７における判別の結果、ハイブリッド型光ディスク２の倍速値ダウンが行われている場合は、マイコン３０は、該倍速値ダウンに関するエラー情報を学習する（ステップＳ２０８）。エラー情報としては、再生または記録時の倍速値ダウンの有無、再生または記録時の倍速値ダウンの要因、再生または記録時に倍速値ダウンしたアドレスのうちの一部または全部を学習する。
（９）マイコン３０は、上記ステップＳ２０８において学習したエラー情報をメモリ３１に保存させる（ステップＳ２０９）。これで切替え前の記録層での再生または記録動作が終了する。
（１０）次に、マイコン３０は、光ディスク装置１に対しハイブリッド型光ディスク２の記録層の切替えを指示し、その後、該記録層の切替えが行われたか否かを判別する（ステップＳ２１０）。上記ステップＳ２０７における判別の結果、ハイブリッド型光ディスク２の倍速値ダウンがされていない場合も、マイコン３０は、この記録層の切替えが行われたか否かの判別を行う。
【００１４】
（１１）上記ステップＳ２１０における判別の結果、ハイブリッド型光ディスク２の記録層の切替えが行われている場合は、マイコン３０は、該ハイブリッド型光ディスク２は切替え前の記録層で倍速値ダウンが行われたか否かを判別する（ステップＳ２１１）。
（１２）上記ステップＳ２１１における判別の結果、ハイブリッド型光ディスク２が、切替え前の記録層で倍速値ダウンが行われている場合は、マイコン３０は、ハイブリッド型光ディスク２の切替え後の記録層でのエラー情報として該ハイブリッド型光ディスク２以外の装置部分の調整結果の情報の学習を行う（ステップＳ２１２）。
（１３）次に、マイコン３０は、ハイブリッド型光ディスク２の倍速値ダウンが行われるようにし、上記切替え後の記録層での再生または記録を行う（ステップＳ２１３）。
（１４）その後、マイコン３０は、光ディスク装置１の再生または記録を終了させる（ステップＳ２１６）。
（１５）上記ステップＳ２１１における判別の結果、ハイブリッド型光ディスク２が切替え前の記録層で倍速値ダウンが行われていない場合は、マイコン３０は、ハイブリッド型光ディスク２の切替え後の記録層での該ハイブリッド型光ディスク２のセットアップ時のエラー（偏心、偏重心、面振れ等）の計測、調整及びその結果の情報の学習を行い（ステップＳ２１４）、その後、光ディスク装置１に切替え後の記録層での再生または記録を行わせ（ステップＳ２１５）、その後、該再生または記録動作を終了させる（ステップＳ２１６）。
【００１５】
図３は、図１の光ディスク装置１において、エラー情報を学習して用いた場合の効果の説明図である。
図３において、
（ａ）エラー情報がホストコンピュータ５０との間の転送上のエラー情報である場合
ホストコンピュータ５０との間の転送上のエラーとしては例えば書き込みが遅くなるなどのエラーがあるが、該エラー情報を学習情報として光ディスク装置１が用いた場合には、セットアップ動作の時間短縮の効果はないが、ハイブリッド型光ディスク２の回転の倍速値ダウンによって情報の読み取りや書き込みが確保されるため、再生中の読み取りエラーや記録中の書き込みエラーの低減の効果が得られる。
【００１６】
（ｂ）エラー情報が光ディスク装置１における温度情報である場合
温度情報を学習情報として光ディスク装置１が用いた場合には、やはり、セットアップ動作の時間短縮の効果はないが、例えば、レーザダイオードとその周囲部の温度が基準値以上に上昇したときなどは高倍速での再生や記録が不安定となるため、ハイブリッド型光ディスク２の回転の倍速値ダウン行うことで記録性能や再生性能を確保できるようにする。このため、再生中の読み取りエラーや記録中の書き込みエラーの低減の効果が得られる。
【００１７】
（ｃ）エラー情報がハイブリッド型光ディスク２の偏心情報である場合
光ディスク装置１において、ハイブリッド型光ディスク２の偏心を、切替え前の記録層でのセットアップ時に計測・調整して学習し、その学習結果情報を、その後の切替えた記録層でのセットアップ時に用いることで、該切替えた記録層でのセットアップ動作時間を短縮することができる。また、この学習結果情報としての偏心情報に基づき、ハイブリッド型光ディスク２の倍速値ダウンを行った場合には、情報の読み取りや書き込みが確保されるため、再生中の読み取りエラーや記録中の書き込みエラーを低減することが可能となる。
【００１８】
（ｄ）エラー情報がハイブリッド型光ディスク２の偏重心情報である場合
光ディスク装置１において、ハイブリッド型光ディスク２の偏重心を、切替え前の記録層でのセットアップ時に計測・調整して学習し、その学習結果情報を、その後の切替えた記録層でのセットアップ時に用いることで、該偏重心の計測・調整を不要にすることができ、この結果、該切替えた記録層でのセットアップ動作時間を短縮することができる。また、この学習結果情報としての偏重心情報に基づき、ハイブリッド型光ディスク２の倍速値ダウンを行った場合には、情報の読み取りや書き込みが確保されるため、再生中の読み取りエラーや記録中の書き込みエラーを低減することができる。
【００１９】
（ｅ）エラー情報がハイブリッド型光ディスク２の面振れ情報である場合
光ディスク装置１において、ハイブリッド型光ディスク２の面振れを、切替え前の記録層でのセットアップ時に計測・補正して学習し、その学習結果情報を、その後に切替えた記録層でのセットアップ時に用いることで、該面振れの計測・補正を不要にすることができ、この結果、該切替えた記録層でのセットアップ動作時間を短縮することができる。また、この学習結果情報としての面振れ情報に基づき、ハイブリッド型光ディスク２の倍速値ダウンを行った場合には、情報の読み取りや書き込みが確保されるため、再生中の読み取りエラーや記録中の書き込みエラーを低減することができる。
【００２０】
（ｆ）エラー情報がハイブリッド型光ディスク２の傷情報である場合
光ディスク装置１においては、セットアップ時にはハイブリッド型光ディスク２の傷情報は使用しない。このため、該傷情報はセットアップ時間の短縮には寄与しない。しかしながら、光ディスク装置１において、該傷情報を切替え前の記録層での記録または再生時にエラー情報として学習し、該学習情報に基づきハイブリッド型光ディスク２の倍速値ダウンを行った場合は、情報の読み取りや書き込みが確保されるため、再生中の読み取りエラーや記録中の書き込みエラーを低減することができる。
【００２１】
（ｇ）エラー情報がハイブリッド型光ディスク２のデビエーション情報である場合
上記（ｆ）の場合と同様、光ディスク装置１においては、セットアップ時にはハイブリッド型光ディスク２の記録膜のデビエーションやトラック歪等のデビエーション情報は使用しない。このため、該デビエーション情報はセットアップ時間の短縮には寄与しない。しかしながら、光ディスク装置１において、該デビエーション情報を切替え前の記録層での記録または再生時にエラー情報として学習し、該学習情報に基づきハイブリッド型光ディスク２の倍速値ダウンを行った場合は、情報の読み取りや書き込みが確保されるため、再生中の読み取りエラーや記録中の書き込みエラーを低減することができる。
【００２２】
図４は、図１の光ディスク装置１における再生時のエラー情報と記録層切替えとの関係の説明図である。
図４において、（イ）は、ハイブリッド型光ディスク２の記録層を、例えばＤＶＤ、ＣＤに使用されている赤系レーザ用記録層から、例えばＢＤで使用されている青系レーザ用記録層に切替える場合、（ロ）は、ハイブリッド型光ディスク２の記録層を、例えばＢＤで使用されている青系レーザ用記録層から、例えばＤＶＤ、ＣＤに使用されている赤系レーザ用記録層に切替える場合である。
【００２３】
図４において、
（ａ）エラー情報がホストコンピュータ５０との間の転送上のエラー情報である場合
光ディスク装置１においては、再生時は、（イ）、（ロ）の場合とも、ホストコンピュータ５０との間の転送上のエラー情報はハイブリッド型光ディスク２の倍速制御に用いない。このため、該エラー情報に基づくハイブリッド型光ディスク２の回転の倍速値ダウンは行われない。
【００２４】
（ｂ）エラー情報が光ディスク装置１における温度情報である場合
光ディスク装置１においては、再生時は、（イ）、（ロ）の場合とも、レーザダイオードやその周囲の温度などの温度情報はハイブリッド型光ディスク２の倍速制御に用いない。このため、該エラー情報に基づくハイブリッド型光ディスク２の回転の倍速値ダウンは行われない。
【００２５】
（ｃ）エラー情報がハイブリッド型光ディスク２の偏心情報である場合
光ディスク装置１において、再生時は、（イ）、（ロ）の場合とも、ハイブリッド型光ディスク２の偏心を、切替え前の記録層でのセットアップ時に計測・調整して学習し、その学習結果情報を、その後の切替えた記録層でのセットアップ時に用いる。また、この学習結果情報としての偏心情報に基づき、ハイブリッド型光ディスク２の倍速値ダウンを行う。
【００２６】
（ｄ）エラー情報がハイブリッド型光ディスク２の偏重心情報である場合
光ディスク装置１において、再生時は、（イ）、（ロ）の場合とも、ハイブリッド型光ディスク２の偏重心を、切替え前の記録層でのセットアップ時に計測・調整して学習し、その学習結果情報を、その後の切替えた記録層でのセットアップ時に用いる。また、この学習結果情報としての偏重心情報に基づき、ハイブリッド型光ディスク２の倍速値ダウンを行う。
【００２７】
（ｅ）エラー情報がハイブリッド型光ディスク２の面振れ情報である場合
光ディスク装置１において、再生時は、（イ）、（ロ）の場合とも、ハイブリッド型光ディスク２の面振れを、切替え前の記録層でのセットアップ時に計測・補正して学習し、その学習結果情報を、その後に切替えた記録層でのセットアップ時に用いる。また、この学習結果情報としての面振れ情報に基づき、ハイブリッド型光ディスク２の倍速値ダウンを行う。
【００２８】
（ｆ）エラー情報がハイブリッド型光ディスク２の傷情報である場合
光ディスク装置１においては、再生時は、（イ）、（ロ）の場合とも、上記傷情報を切替え前の記録層でのエラー情報として学習し、該学習情報に基づきハイブリッド型光ディスク２の倍速値ダウンを行う。
【００２９】
（ｇ）エラー情報がハイブリッド型光ディスク２のデビエーション情報である場合
上記（ｆ）の場合と同様、光ディスク装置１においては、再生時は、（イ）、（ロ）の場合とも、ハイブリッド型光ディスク２の記録膜のデビエーションやトラック歪等のデビエーション情報を切替え前の記録層でのエラー情報として学習し、該学習情報に基づきハイブリッド型光ディスク２の倍速値ダウンを行う。
【００３０】
図５は、図１の光ディスク装置１における記録時のエラー情報と記録層切替えとの関係の説明図である。
図５において、（イ）は、ハイブリッド型光ディスク２の記録層を、例えばＤＶＤ、ＣＤに使用されている赤系レーザ用記録層から、例えばＢＤで使用されている青系レーザ用記録層に切替える場合、（ロ）は、ハイブリッド型光ディスク２の記録層を、例えばＢＤで使用されている青系レーザ用記録層から、例えばＤＶＤ、ＣＤに使用されている赤系レーザ用記録層に切替える場合である。
【００３１】
図５において、
（ａ）エラー情報がホストコンピュータ５０との間の転送上のエラー情報である場合
光ディスク装置１においては、記録時は、（イ）、（ロ）の場合とも、ホストコンピュータ５０との間の転送上のエラー情報をハイブリッド型光ディスク２の倍速制御に用い、例えば書き込みが遅くなる場合にはハイブリッド型光ディスク２の回転の倍速値ダウンを行う。
【００３２】
（ｂ）エラー情報が光ディスク装置１における温度情報である場合
光ディスク装置１においては、記録時も、（イ）、（ロ）の場合とも、レーザダイオードやその周囲の温度などの温度情報はハイブリッド型光ディスク２の倍速制御に用いない。このため、該エラー情報に基づくハイブリッド型光ディスク２の回転の倍速値ダウンは行われない。
【００３３】
（ｃ）エラー情報がハイブリッド型光ディスク２の偏心情報である場合
光ディスク装置１において、記録時は、（イ）、（ロ）の場合とも、ハイブリッド型光ディスク２の偏心情報はハイブリッド型光ディスク２の倍速制御に用いない。このため、該エラー情報に基づくハイブリッド型光ディスク２の回転の倍速値ダウンは行われない。
【００３４】
（ｄ）エラー情報がハイブリッド型光ディスク２の偏重心情報である場合
光ディスク装置１において、記録時は、（イ）、（ロ）の場合とも、ハイブリッド型光ディスク２の偏重心情報はハイブリッド型光ディスク２の倍速制御に用いない。このため、該エラー情報に基づくハイブリッド型光ディスク２の回転の倍速値ダウンは行われない。
【００３５】
（ｅ）エラー情報がハイブリッド型光ディスク２の面振れ情報である場合
光ディスク装置１において、記録時も、（イ）、（ロ）の場合とも、ハイブリッド型光ディスク２の面振れを、切替え前の記録層でのセットアップ時に計測・補正して学習し、その学習結果情報を、その後に切替えた記録層でのセットアップ時に用いる。また、この学習結果情報としての面振れ情報に基づき、ハイブリッド型光ディスク２の倍速値ダウンを行う。
【００３６】
（ｆ）エラー情報がハイブリッド型光ディスク２の傷情報である場合
光ディスク装置１においては、記録時は、（イ）の場合は、上記傷情報を切替え前の記録層でのエラー情報として学習し、該学習情報に基づきハイブリッド型光ディスク２の倍速値ダウンを行う。（ロ）の場合は、ハイブリッド型光ディスク２の傷情報はハイブリッド型光ディスク２の倍速制御に用いない。このため、該エラー情報に基づくハイブリッド型光ディスク２の回転の倍速値ダウンは行われない。
【００３７】
（ｇ）エラー情報がハイブリッド型光ディスク２のデビエーション情報である場合
上記（ｆ）の場合と同様、光ディスク装置１においては、記録時も、（イ）、（ロ）の場合とも、ハイブリッド型光ディスク２の記録膜のデビエーションやトラック歪等のデビエーション情報を切替え前の記録層でのエラー情報として学習し、該学習情報に基づきハイブリッド型光ディスク２の倍速値ダウンを行う。
【００３８】
上記本発明の実施形態によれば、光ディスク装置１において、ハイブリッド型光ディスク２に傷等がある場合も、記録層切替え後、短時間のうちに減速状態として記録または再生のための必要時間を短縮することが可能となる。このため、使い勝手を向上させることができる。また、学習結果情報に基づくハイブリッド型光ディスク２の回転制御を行い、該ハイブリッド型光ディスク２の倍速値ダウンを行って情報の読み取りや書き込みを確保する構成のため、信頼性の高い記録または再生が可能な光ディスク装置を提供することができる。
【００３９】
なお、上記実施形態では、制御手段として、ＤＳＰ２０とマイコン３０とを用いる構成としたが、本発明はこれに限定されず、制御手段を、例えば、マイコンだけで構成してもよいし、マイコンを含んだまたはマイコン機能を備えたＤＳＰで構成するようにしてもよい。また、エラー情報の学習結果を保存するメモリは、ＤＳＰ２０やマイコン３０の内部に設けてもよい。
【図面の簡単な説明】
【００４０】
【図１】本発明の一実施形態としての光ディスク装置の構成例図である。
【図２】図１の光ディスク装置の動作説明図である。
【図３】図１の光ディスク装置におけるエラー情報使用時の効果の説明図である。
【図４】図１の光ディスク装置における再生時のエラー情報と記録層切替えとの関係の説明図である。
【図５】図１の光ディスク装置における記録時のエラー情報と記録層切替えとの関係の説明図である。
【符号の説明】
【００４１】
１…光ディスク装置、
２…ハイブリッド型光ディスク、
３…スピンドルモータ、
４…光ピックアップ、
５…対物レンズ、
６…レーザダイオード、
７…レーザ駆動回路、
８…受光部、
９…アクチュエータ、
１０…アクチュエータ駆動回路、
１１…移動・案内機構部、
１２…スライドモータ、
１３…ローディング機構部、
１４…ローディングモータ、
１５…モータ駆動回路、
１６…記録信号生成部、
１７…再生・誤差信号処理部、
１８…フォーカス・トラッキング制御部、
２０…ＤＳＰ、
３０…マイコン、
３１…メモリ、
４０…インターフェース、
５０…ホストコンピュータ。
【図１】
2007149290.tif 000003
【図２】
2007149290.tif 000004
【図３】
2007149290.tif 000005
【図４】
2007149290.tif 000006
【図５】
2007149290.tif 000007